(57)【要約】      （修正有）【課題】導光板に文字や図形などからなる光出射表示部を優しい光を放って浮かばせることができるものでありながら、外観上の不釣り合いによる違和感を解消することで、見栄えをよくして品格の高い独特の光雰囲気を醸し出す機能を高め、歩行者の注目効率を高めるとともに、製作の容易化と軽量化および軽量化による取り扱いの容易化などを実現できる表示装置を提供する。【解決手段】導光板２と光照射ユニット３および導光板２に設けられて光照射ユニット３の照射光を受けて出射するカタカナ「イ」からなる光出射表示部４とを備え、光照射ユニット３は、導光板２に凹設した肉厚方向の光照射ユニット収納凹部６に収納されているとともに、光照射ユニット収納凹部６の開口を、光照射ユニット３を隠蔽するキャップ８で塞ぐ。【選択図】図２
0003136994.tif 000002
【実用新案登録請求の範囲】
【請求項１】
導光板と光照射ユニットおよび前記導光板に設けられて前記光照射ユニットの照射光を受けて出射する文字や図形からなる光出射表示部とを備えた表示装置において、
前記光照射ユニットは、前記導光板に凹設した肉厚方向の光照射ユニット収納凹部に収納されているとともに、この光照射ユニット収納凹部の開口は前記光照射ユニットを隠蔽するキャップで塞がれていることを特徴とする表示装置。
【請求項２】
請求項１に記載の表示装置において、
前記キャップは、前記光照射ユニットから照射された光を反射して導光板に透過光として出射する反射面を備えていることを特徴とする表示装置。
【考案の詳細な説明】
【技術分野】
【０００１】
本考案は、表示装置に係り、導光板に設けた文字や図形からなる光出射表示部より光を出射して表示する、たとえば光看板、光表札あるいはディスプレイとして好適な表示装置に関するものである。
【背景技術】
【０００２】
この種の表示装置の従来例を図５，図６に示す。この表示装置５０は、導光板５１と光照射ユニット５２および導光板５１の裏側から彫り込み形成されたカタカナ「イ」からなる光出射表示部５３とを備え、光照射ユニット５２は、導光板５１の下端部を嵌合保持したケーシング５４に収納されて電源（図示省略）に接続される。ケーシング５４は、ポール状のスタンド５５で支持するか、あるいは導光板５１とケーシング５４の両者を、図示していない保持手段を介してパネルや壁面などに適宜保持することなどによって表示装置５０が設置される。
【０００３】
導光板５１は、たとえば、アクリル樹脂、ポリカーボネート、ポリスチレン、ネチルメタクリレートとスチレンの共重合体であるＭＳ樹脂、ポリプロピレン、ポリエチレン、高密度ポリエチレンなどの熱可塑性樹脂によって、所定の肉厚を有する長方形に成形される。中でも、光線透過率に優れるアクリル樹脂やポリカーボネートなどが成形材料として多用されている。導光板５１は、その下端部に薄肉部５１ａを形成し、この薄肉部５１ａをケーシング５４の上端開口部に嵌合して適宜固定することによってケーシング５４に保持される。
【０００４】
光照射ユニット５２は、導光板５１の入光面である下辺５１ｂに向けて光を照射する複数のＬＥＤからなる発光素子５２ａと、これら発光素子５２ａが実装された基板５２ｂとを備えてケーシング５４に収納され、基板５２ｂは電源（図示省略）に接続される。
【０００５】
カタカナ「イ」からなる光出射表示部５３は、導光板５１の裏側から彫り込み形成され、その内面は、たとえばサンドブラスト加工によって梨地状にしてある。なお、彫り込み形成に変えて、カタカナ「イ」を導光板５１に封入した光出射表示部５３あるいはカタカナ「イ」を導光板５１に貼り付けた光出射表示部５３もある。
【０００６】
前記構成の表示装置５０によれば、複数の発光素子５２ａからの照射光は、入光面である下辺５１ｂから導光板５１に入射し、その中を透過しながらカタカナ「イ」からなる光出射表示部５３に照射され、光出射表示部５３から導光板５１の前面側にカタカナ「イ」に相当する光が出射される。これにより、導光板５１に優しい光を放って浮かぶカタカナ「イ」を品格の高い独特の雰囲気をもって表示することができる。
【０００７】
このように、発光素子５２ａからの照射光を導光板５１の下辺（入光面）５１ｂから入射し、導光板５１の中を透過しながら該導光板５１の背面に設けた反射層（ただし、この反射層は、図５，図６の表示装置１では存在しない）で反射して前面側に出射することによって、デスクトップ型パーソナルコンピュータや薄型テレビなどの大型の液晶ディスプレイの表示面に導くための光学的要素として機能させる技術は、たとえば特許文献１に記載されている。
【０００８】
【特許文献１】特開２００７−１２８７４８号公報
【考案の開示】
【考案が解決しようとする課題】
【０００９】
ところで、この種の表示装置５０は、プラスチックや金属板材などで構成されたボックス内に光源を配置した看板やネオンサインなどとは異なり、導光板５１に文字や図形などからなる光出射表示部５３を優しい光を放って浮かばせることができるので、品格の高い独特の光雰囲気を醸し出して、歩行者の注目効率を高めることができる。ところが、前記図５，図６で説明した従来の表示装置５０は、導光板５１の下端部に薄肉部５１ａを形成し、この薄肉部５１ａをケーシング５４の上端開口部に嵌合して保持しているので、導光板５１の下側に、表示装置５０として外観上不釣り合いで違和感を生じさせるケーシング５４が存在する。
【００１０】
このように、外観上不釣り合いで違和感を生じさせるケーシング５４が導光板５１の下側に存在している表示装置５０では、たとえ優しい光を放って文字や図形などからなる光出射表示部５３を導光板５１に浮かばせても、品格の高い独特の光雰囲気を醸し出す効果が半減され、これが歩行者の注目効率を低下させる要因になる。また、ケーシング５４は、ステンレス鋼板または通常鋼板によって製作されるので、製作が困難であるばかりか重量が嵩むため表示装置５０の取り扱いも困難になるなどの問題を有する。
【００１１】
本考案は、このような問題を解決するものであって、その目的とするところは、導光板に文字や図形などからなる光出射表示部を優しい光を放って浮かばせることができるものでありながら、外観上の不釣り合いによる違和感を解消することで、見栄えをよくして品格の高い独特の光雰囲気を醸し出す機能を高め、歩行者の注目効率を高めるとともに、製作の容易化と軽量化および軽量化による取り扱いの容易化などを実現できる表示装置を提供することにある。
【課題を解決するための手段】
【００１２】
前記目的を達成するために、本考案に係る表示装置は、導光板と光照射ユニットおよび前記導光板に設けられて前記光照射ユニットの照射光を受けて出射する文字や図形からなる光出射表示部とを備えた表示装置において、
前記光照射ユニットは、前記導光板に凹設した肉厚方向の光照射ユニット収納凹部に収納されているとともに、この光照射ユニット収納凹部の開口は前記光照射ユニットを隠蔽するキャップで塞がれていることを特徴としている。
【００１３】
これによれば、導光板に凹設した肉厚方向の光照射ユニット収納凹部に収納されている光照射ユニットからの光は、入光面である光照射ユニット収納凹部の内面から導光板に入射され、導光板の中を透過しながら光出射表示部に照射され、光出射表示部から導光板の前面側に光出射表示部の形状に相当する光が出射される。これにより、導光板内に優しい光を放って浮かぶ光出射表示部を品格の高い独特の雰囲気をもって表示することができる。しかも、光照射ユニット収納凹部の開口がキャップによって塞がれることで、光照射ユニット収納凹部に収納されている光照射ユニットが隠蔽されるので、光照射ユニットの目視が不能になって、表示装置の外観向上に寄与する。
【００１４】
しかも、従来必要とされていたケーシングのような他部材を省略できるので、外観上の不釣り合による違和感が解消されて見栄えがよくなる。これにより、品格の高い独特の光雰囲気を醸し出す機能が高められて、歩行者の注目効率を高めることができるとともに、前記他部材の省略によって、製作の容易化と軽量化および軽量化による取り扱いの容易化などを実現できる。
【００１５】
また、本考案に係る表示装置の前記キャップは、前記光照射ユニットから照射された光を反射して導光板に透過光として出射する反射面を備えていることを特徴としている。これによると、光照射ユニットから照射された光は、反射面の反射作用によって効率よく導光板に出射されて光出射表示部を照射し、導光板内で光出射表示部を優しい光を放って浮かばせることができる。
【考案の効果】
【００１６】
本考案の表示装置によれば、導光板内に文字や図形などからなる光出射表示部を優しい光を放って浮かばせることができるものでありながら、外観上の不釣り合いによる違和感を解消することで、見栄えをよくして品格の高い独特の光雰囲気を醸し出す機能を高め、歩行者の注目効率を高めるとともに、製作の容易化と軽量化および軽量化による取り扱いの容易化などを実現することができる。
【考案を実施するための最良の形態】
【００１７】
以下、本考案の好ましい実施形態を図面に基づいて説明する。
図１は、本考案の一実施形態を示す正面図、図２は、図１のＩＩ−ＩＩ線に沿う縦断面図、図３は、要部の拡大縦断面図、図４は、図３のＩＶ−ＩＶ矢視図である。
【００１８】
図１〜図４において、表示装置１は、導光板２と光照射ユニット３および導光板２の裏側から彫り込み形成されたカタカナ「イ」からなる光出射表示部４とを備え、導光板２は、支持パネル５の前側に後述する保持手段を介して保持されている。
【００１９】
導光板２は、たとえば、アクリル樹脂、ポリカーボネート、ポリスチレン、ネチルメタクリレートとスチレンの共重合体であるＭＳ樹脂、ポリプロピレン、ポリエチレン、高密度ポリエチレンなどの熱可塑性樹脂やガラスなどによって、所定の肉厚を有する長方形に成形される。中でも、光線透過率に優れるアクリル樹脂やポリカーボネートなどが成形材料として多用される。
【００２０】
光照射ユニット３は、光を照射する点光源として機能する４個の発光素子（ＬＥＤ）３ａと、これら発光素子（ＬＥＤ）３ａを実装した基板３ｂとからなり、導光板２の幅方向の中心を通る直線Ｃ上にあって、該導光板２の上下両端部近傍おいて表面側から裏面に向けて肉厚方向に凹設した上下一対の光照射ユニット収納凹部６に収納され、基板３ｂは電力供給線７を介して電源（図示省略）に接続される。４個の発光素子（ＬＥＤ）３ａを光源としていることで、光照射ユニット３の長寿命化と消費電力の削減を図れる。
【００２１】
カタカナ「イ」からなる光出射表示部４は、導光板２の裏側から彫り込み形成され、その内面は、たとえばサンドブラスト加工によって梨地状にしてある。なお、彫り込み形成に変えて、カタカナ「イ」形の集光部材を導光板２に封入した光出射表示部４あるいはカタカナ「イ」形の集光部材を導光板２に貼り付けた光出射表示部４であってもよい。また、光出射表示部４は、前記のカタカナにのみ限定されるものではなく、ひらがな、漢字、欧文字、数字あるいは図形およびこれらの組み合わせによって構成してもよい。
【００２２】
前記上下一対の光照射ユニット収納凹部６は、それぞれが正面形状円形のもので、その前端部の大径部６ａと、この大径部６ａの後側に同心に連設され、かつ大径部６ａよりも若干小径の小径部６ｂとからなり、小径部６ｂに光照射ユニット３が収納される。また、大径部６ａには、ステンレス製の円盤状のキャップ８を嵌合し、接着剤（図示省略）によってキャップ８を大径部６ａに接着しており、キャップ８の後面は、鏡面仕上げ処理や鏡面メッキ処理などを施すことによって、光の反射特性を向上させた反射面８ａとして機能させることも出来る。
【００２３】
一方、各光照射ユニット収納凹部６における小径部６ｂの後側には、座ぐり孔６ｃが同心に貫設されており、この座ぐり孔６ｃを利用した保持手段９を介して、支持パネル５の前側に導光板２が保持される。すなわち、支持パネル５は、前パネル５ａと後パネル５ｂとからなり、前パネル５ａの折り曲げ周縁部５ａ１に後パネル５ｂの折り曲げ周縁部５ｂ１を嵌め込むとともに、複数のビス１０によって周縁部５ａ１と周縁部５ｂ１とを締結することによって中空状に構成されている。また、保持手段９は、皿ビス９ａと、この皿ビス９ａのねじ部に螺合可能なナット９ｂとからなる。
【００２４】
したがって、円盤状のキャップ８が嵌合される前段において開口している各光照射ユニット収納凹部６側から皿ビス９ａのねじ部を座ぐり孔６ｃに挿通して、皿ビス９ａの頭部を座ぐり孔６ｃに嵌め込み、リング状のスペーサ１１を介在させた状態で皿ビス９ａのねじ部を前パネル５ａに設けたビス孔１２に挿通して前パネル５ａの後方に突出させ、この突出部にナット９ｂを螺合して締め付け、光照射ユニット３を各光照射ユニット収納凹部６の小径部６ｂに収納し、大径部６ａにキャップ８を嵌合して接着するとともに、前パネル５ａの折り曲げ周縁部５ａ１に後パネル５ｂの折り曲げ周縁部５ｂ１を嵌め込んで、複数のビス１０によって周縁部５ａ１と周縁部５ｂ１とを締結する手順によって、保持手段９を介して、支持パネル５の前側に導光板２を保持することができる。
【００２５】
前記構成の表示装置１によれば、導光板２の表面側から裏面に向けて肉厚方向に凹設した上下一対の光照射ユニット収納凹部６に収納されている各光照射ユニット３の４個の発光素子（ＬＥＤ）３ａから照射される光は、入光面である各光照射ユニット収納凹部６の内面から導光板２に入射され、導光板２の中を透過しながらカタカナ「イ」からなる光出射表示部４に照射され、光出射表示部４から導光板２の前面側に光出射表示部４の形状、つまりカタカナ「イ」に相当する光が出射される。これにより、導光板２内に優しい光を放って浮かぶ光出射表示部４を品格の高い独特の雰囲気をもって表示することができる。しかも、各光照射ユニット収納凹部６の開口がキャップ８によって塞がれることで、各光照射ユニット収納凹部６に収納されている光照射ユニット３が隠蔽されるので、各光照射ユニット３の目視が不能になって、表示装置１の外観向上に寄与することができる。
【００２６】
しかも、前記構成の表示装置１によれば、従来必要とされていたケーシング５４（図５，図６参照）のような他部材を省略できるので、外観上の不釣り合による違和感が解消されて見栄えがよくなる。これにより、品格の高い独特の光雰囲気を醸し出す機能が高められて、歩行者の注目効率を高めることができるとともに、前記他部材の省略によって、製作の容易化と軽量化および軽量化による取り扱いの容易化などを実現できる。
【００２７】
また、前記構成の表示装置１によれば、キャップ８は、その後面を鏡面仕上げ処理や鏡面メッキ処理することで、光の反射特性を向上させた反射面８ａとして機能させているので、各光照射ユニット３の４個の発光素子（ＬＥＤ）３ａから照射された光は、反射面８ａの反射作用によって効率よく導光板２に出射されてカタカナ「イ」からなる光出射表示部４を照射して、導光板２内でカタカナ「イ」からなる光出射表示部４を優しい光を放って浮かばせることができる。
【００２８】
前記構成の表示装置１では、４個の発光素子（ＬＥＤ）３ａを基板３ｂに実装した光照射ユニット３を使用しているが、基板３ｂに実装される発光素子（ＬＥＤ）３ａの数は、１個〜３個あるいは４個以上であってもよい。
また、導光板２の幅方向の中心を通る直線Ｃ上にあって、該導光板２の上下両端部近傍に上下一対の光照射ユニット収納凹部６を凹設した構成で説明しているが、光照射ユニット収納凹部６の数と凹設位置は前記実施形態のみに限定されるものではなく、任意に設定できる。
さらに、前記導光板２は、前記実施形態においては長方形に形成されているが、その形状は問わず、たとえば、円形、三角形や台形などに形成してもよい。
また、前記導光板２は、前記実施形態においては支持パネル５に保持されて設けられているが、前記導光板２自体を直接壁などに取り付けて設けてもよい。
【図面の簡単な説明】
【００２９】
【図１】本考案の一実施形態を示す正面図である。
【図２】図１のＩＩ−ＩＩ線に沿う縦断面図である。
【図３】要部の拡大縦断面図である。
【図４】図３のＩＶ−ＩＶ矢視図である。
【図５】従来例の正面図である。
【図６】図５のＶＩ−ＶＩ線に沿う縦断面図である。
【符号の説明】
【００３０】
１  表示装置
２  導光板
３  光照射ユニット
４  光出射表示部
６  光照射ユニット収納凹部
８  キャップ
８ａ  反射面
【図１】
0003136994.tif 000003
【図２】
0003136994.tif 000004
【図３】
0003136994.tif 000005
【図４】
0003136994.tif 000006
【図５】
0003136994.tif 000007
【図６】
0003136994.tif 000008